(57)【要約】  ディスプレイ装置の提供。ディスプレイ装置がディスプレイ受けエリアに対して開口部を有する本体を含む。ディスプレイは、ディスプレイ受けエリアに連結され、略透明な接触要素は、開口部とディスプレイとの間に配置されている。少なくとも２つの感力性要素は、接触要素とディスプレイ受けエリアとの間にあり、各感力性要素は、力が接触要素に加えられた場合に、信号を生成するように構成されている。コントローラは、信号を受け取り、受け取った信号に基づいて、ユーザ入力動作を判断する。感力性要素は、異なる軸に沿って力が加わったことを検出するように、ならびに力がいつ接触要素に加えられたか、および異なる軸のうちどれに沿ってその力が加えられたかをコントローラが判断可能な信号を生成するように構成されている。
2009505294.tif 000002
【特許請求の範囲】
【請求項１】
ディスプレイ受けエリアに対して開口部を有する本体と、
前記ディスプレイ受けエリアに連結されているディスプレイと、
前記開口部と前記ディスプレイとの間に配置された略透明な接触要素であって、それにより、前記ディスプレイによって表示された画像の少なくとも一部分が前記接触要素を通して見える、接触要素と、
力が前記接触要素に加えられた場合に、それぞれが信号を生成するように構成され、前記接触要素と前記ディスプレイ受けエリアとの間の少なくとも２つの感力性要素と、
前記信号を受け取るため、および受け取った前記信号に基づいて、ユーザ入力動作を判断するためのコントローラと、
を備え、
前記感力性要素は、異なる軸に沿って前記加力を検出するようにされ、かつ力がいつ前記接触要素に加えられたか、および前記異なる軸のどの軸に沿って前記力が加えられたかを前記コントローラが判断するのに利用可能な信号を生成するようにされていることを特徴とする、
ディスプレイ装置。
【請求項２】
請求項１に記載のディスプレイであって、前記接触要素は、前記感力性要素によって前記本体に連結され、前記感力性要素は、前記接触要素に加えられた力の量の範囲との既知の関係で弾性的に変形するように、および前記弾性的変形の範囲を示す信号を生成するように構成されており、前記信号は、前記ユーザ入力動作を判断する際に使用するための前記コントローラによって検出されることを特徴とする、ディスプレイ。
【請求項３】
請求項１に記載のディスプレイであって、前記接触要素は、前記感力性要素によって前記本体に連結され、前記感力性要素の少なくとも１つは、前記接触要素に加えられた力の量の範囲との既知の関係で弾性的に変形するように、および前記弾性的変形の範囲を示す信号を生成するように構成されており、前記信号は、ユーザ入力動作を判断する際に使用するための前記コントローラによって検出されることを特徴とする、ディスプレイ。
【請求項４】
請求項１に記載のディスプレイ装置であって、前記接触要素は、前記ディスプレイ受けエリアに対して移動するために、前記ディスプレイ受けエリア内で前記本体に連結され、前記感力性要素は、前記力に応答した前記接触要素の移動を検出することによって、前記接触要素に対する前記加力を感知することを特徴とする、ディスプレイ装置。
【請求項５】
請求項１に記載のディスプレイ装置であって、前記接触要素は、前記受けエリアに対して移動するために、前記ディスプレイ受けエリア内で前記本体に連結され、前記感力性要素は、任意の感力性要素の２ｍｍ以下の弾性変形をもたらす、前記ディスプレイに加えられた力を検出するように構成されていることを特徴とする、ディスプレイ装置。
【請求項６】
請求項１に記載のディスプレイ装置であって、前記接触要素は、前記本体に対し、枢動、摺動可能、および直線的移動の少なくとも１つで、前記ディスプレイ受けエリア内で該ディスプレイエリア内に対して移動するために、前記本体に連結されていることを特徴とする、ディスプレイ装置。
【請求項７】
請求項１に記載のディスプレイ装置であって、前記接触要素は、前記ディスプレイ受けエリア内で回転移動するために前記本体に連結され、前記感力性要素は、前記接触要素に、前記回転移動をさせる力が加わったことを検出するように構成されていることを特徴とする、ディスプレイ装置。
【請求項８】
請求項７に記載のディスプレイ装置であって、前記コントローラは、前記感力性要素からの前記信号に基づいて、前記ディスプレイ上に表示された画像の外観を回転するように構成されていることを特徴とする、ディスプレイ装置。
【請求項９】
請求項７に記載のディスプレイ装置であって、前記感力性要素の少なくとも１つは、バイナリ変換器、多位置変換器、連続的可変変換器、ホール効果センサ、容量性感知変換器、抵抗感知変換器、または磁気感知変換器を備えることを特徴とする、ディスプレイ装置。
【請求項１０】
請求項１に記載のディスプレイ装置であって、前記感力性要素は、加えられた力の量に比例して変わる信号を供給し、前記コントローラは、機能を実行する所望の比率、および機能がそれに対して実行されるべき範囲を決定するために、前記感力性要素からの前記信号の前記比例的な変動を解釈するように構成されていることを特徴とする、ディスプレイ装置。
【請求項１１】
請求項１に記載のディスプレイ装置であって、前記コントローラは、キャプチャ画像に使用されるために少なくとも１つの画像キャプチャ設定を決定するために、前記接触要素に対して感知された加力を解釈するように構成されている画像キャプチャシステムをさらに備えることを特徴とする、ディスプレイ装置。
【請求項１２】
請求項１に記載のディスプレイ装置であって、それぞれの感力性要素は、それぞれの感知要素が少なくとも１つの異なる軸に沿って前記加力を感知するように、前記ディスプレイ受けエリアに前記接触要素を連結することを特徴とする、ディスプレイ装置。
【請求項１３】
請求項１に記載のディスプレイ装置であって、前記接触要素は、前記接触要素を回転変位させる前記加力を受け取るように構成されており、前記感力性要素は、前記回転移動のために前記接触要素の働き掛けを示す力を検出し、前検出された力を示す前記信号を生成するように構成されており、前記コントローラは、前記信号を使用して、回転を要求するユーザ入力動作がなされたことを判断することを特徴とする、ディスプレイ装置。
【請求項１４】
請求項１に記載のディスプレイ装置であって、前記接触要素は、前記ディスプレイを含むことを特徴とする、ディスプレイ装置。
【請求項１５】
中にディスプレイを備えたディスプレイ受けエリアを有する本体と、
中立位置と２つの別の力が加えられた位置との間で移動するために前記本体と連結されている略透明な接触要素であって、前記接触要素は、前記ディスプレイで表示された画像が前記接触要素を介して観察されるように、力が加えられ、かつ配置された場合には、前記ディスプレイ受けエリアの内へ移動可能である、接触要素と、
前記接触要素と前記ディスプレイ受けエリアとの間の複数の感力性要素であり、各感力性要素が前記力の加えられた位置のうち一方の中への前記接触要素の移動を感知するように構成された感力性要素と、
前記接触要素によって前記感力性要素に加えられた前記力に基づいて、ユーザ入力動作を判断するコントローラと
を備え、
前記２つの別々の力が加えられた位置のうち一方の中への前記接触要素の移動は、前記２つの力が加えられた位置のうちの他方の中への前記接触要素の移動とは異なる軸に沿った前記ディスプレイの移動を必要とすることを特徴とする、ディスプレイ装置。
【請求項１６】
請求項１５に記載のディスプレイ装置であって、前記接触要素は、前記ディスプレイ受けエリア内にあり、前記ディスプレイエリアは、それに対して枢動、回動、摺動可能、および直線的移動の少なくとも１つを可能にすることを特徴とする、ディスプレイ装置。
【請求項１７】
請求項１５に記載のディスプレイ装置であって、前記ディスプレイ装置は、その中に画像内容を有するメモリをさらに備え、前記コントローラは、前記メモリ内の前記画像内容の使用を判断するために、前記本体に対して前記ディスプレイの感知された移動を解釈するように構成されていることを特徴とする、ディスプレイ装置。
【請求項１８】
請求項１５に記載のディスプレイ装置であって、外部電子装置と通信するための信号を送るように構成されている通信回路をさらに含み、前記コントローラは、前記外部装置に送られる信号を判断するために、前記ディスプレイ上で感知された加力を解釈するように構成されていることを特徴とする、ディスプレイ装置。
【請求項１９】
請求項１５に記載のディスプレイ装置であって、外部電子装置との無線通信を可能にするように構成されている通信回路をさらに含み、前記コントローラは、前記外部装置に送られる信号を判断するために、前記本体に対して前記ディスプレイの感知された移動を解釈するように構成されていることを特徴とする、ディスプレイ装置。
【請求項２０】
請求項１５に記載のディスプレイ装置であって、前記感力性要素の少なくとも１つは、前記本体に対して前記ディスプレイを移動させるために、前記ディスプレイに加えられた圧力の量を検出するようにさらに構成されていることを特徴とする、ディスプレイ装置。
【請求項２１】
請求項１５に記載のディスプレイ装置であって、前記ディスプレイは、少なくとも部分的に可撓性であることを特徴とする、ディスプレイ装置。
【請求項２２】
ディスプレイ受けエリアを有する本体と、
前記ディスプレイ受けエリア内の前記本体に連結されているディスプレイと、
少なくとも２つの別の軸に沿って、前記ディスプレイに対する前記加力を感知するために、前記ディスプレイと関連の前記ディスプレイ受けエリア内に配置された複数の力感知要素と、
前記ディスプレイに対する感知された加力に基づいて、ユーザ入力動作を判断するためのコントローラと、
を備えることを特徴とする、ディスプレイ装置。
【請求項２３】
請求項２２に記載のディスプレイ装置であって、前記感力性要素は、軸に沿って加えられた力の方向を前記コントローラが判断可能な信号を供給することを特徴とする、ディスプレイ装置。
【請求項２４】
請求項２３に記載のディスプレイ装置であって、前記少なくとも２つの別の軸は、２つの平行ではあるが分離された軸を備え、前記コントローラは、力が前記平行な軸に沿って逆方向に加えられた場合には、回転ユーザ入力を示すユーザ入力信号を判断するように構成されていることを特徴とする、ディスプレイ装置。
【請求項２５】
本体上のディスプレイ受けエリア内に配置された接触要素を有するディスプレイ装置を動作させるための方法であって、
２つの異なる可能な移動軸に沿って、少なくとも前記ディスプレイ受けエリアに前記接触要素を保持する構造に反する前記接触要素による前記加力を感知するステップと、
前記ディスプレイに対して感知された加力に基づいて、ユーザ入力動作を判断するステップと、
を含むことを特徴とする、方法。
【請求項２６】
請求項２５に記載の方法であって、前記接触要素の移動が前記ディスプレイに非接触で感知されることを特徴とする、方法。
【発明の詳細な説明】
【技術分野】
【０００１】
本発明は、ディスプレイ装置に関し、詳細には、ディスプレイ装置で用いるための方法およびユーザ入力システムに関する。
【背景技術】
【０００２】
デジタルスチルカメラ、ビデオカメラ、携帯電話などを含むが、それらに限定されないディスプレイ装置は、従来、装置本体内部の固定位置に配されるディスプレイを使用している。あるいは、ビデオカメラのいくつかのタイプで採用されているように、ディスプレイ装置の本体に連結されているが、その本体に対して移動可能なタイプの筺体内部に固定されているディスプレイを設けることが知られている。この種のディスプレイ装置のユーザは、ボタン、ジョイスティック、ダイヤル、ホイール、ジョグダイヤルなどの外部ユーザ入力制御部によって装置を制御する。この種のユーザ入力制御部は、ディスプレイの周辺部付近に、または正面、上面、底面、背面もしくは側面上など、ディスプレイ装置の別の表面上に設置される。これらの制御部は、ディスプレイ装置上の表面積の特定の量を占め、したがって、ディスプレイ装置全体の大きさは、ディスプレイの大きさによって、およびディスプレイ装置を動作させるために使用される独立した外部制御部の数によって、その一部が決定される。
【０００３】
例えば、図１に、デジタルカメラ１２の形態における従来技術のディスプレイ装置１０を示す。図１のカメラでは、ディスプレイ１４が筺体１６上に固定配置されている。筺体１６上にある外部制御部２０を使用して、デジタルカメラ１２の動作を制御する。外部制御部２０は、入／切ボタン２２、メニューボタン２４、選択ボタン２６、共有ボタン２８およびナビゲーションボタン３０を含む。デジタルカメラ１２をアクティブにするために、ユーザは、入／切ボタン２２を押す。デジタル画像を作成するためには、ユーザは、ファインダ３２を通して見る、またはデジタルカメラ１２がディスプレイ１４を使用して、仮想ファインダを可能にする場合には、ユーザは、ディスプレイ１４上に表示されるシーン画像を見る。シーンが適切に作成された場合には、ユーザは、シャッタートリガボタン３４を押し下げることによって、イメージをキャプチャしたいという要望を示す。専用ボタンを備えていないデジタルカメラ１２の特定の機能を使用するには、ユーザは、メニューボタン２４を押し下げる。応答して、ディスプレイ１４は、すでに撮影した写真の確認（レビュー）、特定の写真の消去など、いくつかの選択的な機能のメニューを表示する。ユーザは、ナビゲーションボタン３０を使用することにより、メニューをナビゲートする。例えば、ユーザに提示されたメニューは、機能の垂直的リストであることが可能であり、ユーザは、所望の機能がディスプレイ上に強調表示されるまで、ナビゲーションボタン３０を上向き矢印１３、または下向き矢印１５の方向に押し下げる。その場合、所望の機能の選択は、選択ボタン２６を押し下げることによって行われる。
【０００４】
確認のため特定の以前にキャプチャされた写真を選択するには、メニューボタン２４、ナビゲーションボタン３０、および選択ボタン２６を使用して、メニューから確認機能を選択することが可能である。確認機能が選択された場合には、写真をナビゲートすることは、ナビゲーションボタン３０を矢印１７および／または１９の方向にそれぞれ右または左に押すことによってなされる。
【０００５】
ディスプレイ装置に使用される技術がより向上し、またディスプレイがより安価になると、より大きなディスプレイを備えたディスプレイ装置を提案することが望まれる。また、より多様なおよび／または多数の制御部が求められる、より広範囲の機能を提案するディスプレイ装置を提供することも同時に望まれる。これらの影響の結果、多くのディスプレイ装置が比例してより大きくなってきている。しかし、この種の装置は、携帯性および利便性の利点を提供するために、より小さく、より軽くなることもまた望まれる。これらの矛盾する要望により、ディスプレイ装置のより多くの外部表面積をディスプレイのために使い、したがって、制御部の設置に利用可能なディスプレイ装置の外部表面積が、より小さい割合を有するディスプレイ装置が開発されることになってきている。したがって、ディスプレイ装置内に組み込まれる制御部はより少なく、異なる制御部が、異なる動作モードで、異なる目的のために使用される場合など、制御部は、複数の、あまり関係のない目的に使用されている。これは、しかし、多くのユーザに混乱を招いている。
【０００６】
この問題に対する別の解決策は、タッチスクリーンを有する特殊なタイプのディスプレイを使用することである。タッチスクリーンディスプレイは、指またはスタイラスが表面に接触した場合に、感知することが可能であり、装置機能を制御するために使用可能である制御信号を供給することが可能である特殊な透明表面を有する。いくつかのタイプのタッチスクリーンが、触れられたときに抵抗を変えるマトリックス状の抵抗器を有する抵抗タッチスクリーンなどを、および触れられたときに静電容量を変えるマトリックス状のコンデンサを有する容量タッチスクリーンなどを利用可能である。
【０００７】
図２に、タッチスクリーンディスプレイ３６がその中に設けられている従来技術のデジタルカメラ１２を示す。図２には、タッチスクリーンディスプレイ３６が、デジタルカメラ１２の筺体１６上に固定配置されている。この従来技術のデジタルカメラ１２の制御は、外部制御部２０とタッチスクリーンディスプレイ３６との組合せを使用することによって行われる。図２に示すデジタルカメラ１２の例は、入／切ボタン２２およびメニューボタン２４を含む外部制御部２０を有する。別の制御入力は、この例では、指またはスタイラスがスクリーンの一部分に触れたときに、生じる静電容量の変化を感知するために使用可能であるタッチスクリーンディスプレイ３６の表面上に配置されている透明シートを含むタッチスクリーンディスプレイ３６により行われる。
【０００８】
入／切ボタン２２は、図２の従来技術のデジタルカメラ１２をアクティブにするために存在している。デジタル写真を作成するために、ユーザは、ファインダ３２を覗き、またはタッチスクリーンディスプレイ３６上でシーンを見る。写真を撮影するために、ユーザは、シャッタートリガボタン３４を押し下げる。外部制御部２０を使用して都合よくアクセス不可能であるデジタルカメラ１２の特定の機能を利用するために、ユーザは、メニューボタン２４を押し下げる。次に、タッチスクリーンディスプレイ３６は、すでに撮影した写真を確認し、特定の写真などを消去するなど、いくつかの機能についてメニュー３８を表示する。メニュー３８は、それにより、タッチスクリーンディスプレイ３６の特定の機能エリア４０〜４６が特定の機能に参照され、それらの機能に関連したグラフィックスがタッチスクリーンディスプレイ３６の特定の機能エリア４０〜４６に示される。ユーザは、機能エリア４０〜４６の１つにおいて、タッチスクリーンディスプレイ３６に指またはスタイラスを押し当てることによって、メニュー３８をナビゲートすることが可能である。例えば、図２では、メニュー３８は、機能について２次元マトリックスの形態でユーザに表示され、ユーザは、その機能を選択するために、所望の機能と関連するタッチスクリーンディスプレイ３６の部分に自分の指を押すことが可能である。次に、機能が実行され、または機能の一部が、さらなる選択のために表示可能である。
【０００９】
図２の従来技術のデジタルカメラ１２によりすでに撮影した写真を確認するために、メニューボタン２４が上述のように押し下げられる。次に、ユーザは、確認写真機能と関連するタッチスクリーンディスプレイ３６の機能エリアを押すことが可能である。次に、確認すべき写真をナビゲートすることが、タッチスクリーンディスプレイ３６上に表示可能である前方への、または逆への矢印の機能エリア（図示せず）を押すことによってなされる。
【００１０】
したがって、タッチスクリーンディスプレイ３６は、外部表示制御部の数を減らすことにより、ディスプレイ装置上のスペースを節約し、それにより、タッチスクリーンディスプレイ３６が、ディスプレイ装置の外面のより大きな割合を占めることが可能になる。しかし、ディスプレイ装置において、タッチスクリーンディスプレイ３６を使用するためには、いくつかの弱点がある。例えば、タッチスクリーンディスプレイ３６のコストは、多くのディスプレイ装置に対して割高であり、この種のタッチスクリーンは、偶発接触によるダメージを受け易いことが多く、それにより、この種のディスプレイがデジタルカメラ１２の耐用年数の前に、またはディスプレイが中に取り付けられている別のディスプレイ装置の使用期限が切れてしまう前に、摩滅し、よく故障する原因となる。さらには、タッチスクリーンと指が繰り返し接触することにより、タッチスクリーンディスプレイ３６にダメージを与えるおそれなく清浄にすることを困難とするディスプレイ上に、見栄えの悪い指紋のパターンが放置される可能性がある。最後に、多くのこの種のスクリーンは、放電や他の周囲の汚染物による損傷に対し、とりわけ悪い影響を受ける。
【発明の開示】
【発明が解決しようとする課題】
【００１１】
したがって、所望されているのは、ユーザ入力動作を感知し、ディスプレイ装置を制御するためにそれに応答して信号を生成するディスプレイ装置の外部表面の部分を使用する方法であり、それにより、ディスプレイに対する外部制御部の数が最小限に抑えられることが可能になり、さらに、低コスト設計において耐久力のあるインターフェースを有する便利なユーザ入力方式がもたらされる。
【課題を解決するための手段】
【００１２】
本発明の一態様において、ディスプレイ装置が提供される。ディスプレイ装置は、ディスプレイ受けエリアに対して開口部を有する本体、ディスプレイ受けエリア内部で本体に連結されているディスプレイ、およびディスプレイによって表示される画像の少なくとも一部分が接触要素を通して見えるように、開口部とディスプレイとの間に配置されている略透明な接触要素を含む。少なくとも２つの感力性要素が、接触要素とディスプレイ受けエリアとの間にあり、それぞれの感力性要素は、力が接触要素に加えられたときに信号を発生するように構成されている。コントローラが信号を受け取り、受け取った信号に基づいてユーザ入力動作を判断する。感力性要素は、種々の（異なる）軸に沿って力が加えられたことを検出するように、ならびにコントローラを使用して、いつ接触要素に力が加えられたか、および種々の軸のどれに沿って力が加えられたかを判断することが可能である信号を生成するように構成されている。
【００１３】
本発明の別の態様では、ディスプレイ装置は、その中にディスプレイを備えたディスプレイエリアを有する本体、中立位置と２つの別の力が加えられた位置との間で移動するために本体に連結された略透明な接触要素を含み、接触要素は、ディスプレイによって表示された画像がそれにより見えるように力が加えられ、配置された場合には、ディスプレイ受けエリア内でその中へ移動可能である。複数の感力性要素は、接触要素とディスプレイ受けエリアとの間にある。それぞれの感力性要素は、力が加えられた位置のうち一方の中への接触要素の移動を感知するように構成されており、コントローラは、接触要素によって感力性要素に加えられた力に基づいて、ユーザ入力動作を判断するように構成されている。ここで、２つの別々の力が加えられた位置のうち一方の中への接触要素の移動には、２つの力が加えられた位置のうちの他方へのディスプレイの移動とは異なる軸に沿った接触要素の移動が必要とされる。
【００１４】
本発明のさらに別の態様では、ディスプレイ装置はディスプレイ受けエリアを有する本体、ディスプレイ受けエリア内部で本体に連結されているディスプレイ、少なくとも２つの分離軸に沿ってディスプレイに力が加えられたことを感知するために、ディスプレイと関連してディスプレイ受けエリア内に配置された複数の力感知要素、およびディスプレイについて感知された加力に基づいてユーザ入力動作を判断するコントローラを含む。
【００１５】
本発明のさらなる別の態様では、本体上のディスプレイ受けエリア内部に配置された接触要素を有するディスプレイ装置を動作させるための方法が提供される。この方法によれば、２つの異なる可能な移動軸に沿って、少なくともディスプレイ受けエリアに接触要素を保持する構造に対抗する接触要素による加力を感知するステップと、感知された接触要素に対する加力に基づいて、ユーザ入力動作を判断するステップとが提供される。
【発明を実施するための最良の形態】
【００１６】
図３に、デジタルカメラ１０２を有するディスプレイ装置１００の一実施形態のブロック図を示す。図４に、図３のディスプレイ装置１００の上面、背面、右側面の斜視図を示す。図３および４に示すように、ディスプレイ装置１００は、上面１１２、右側面１１４、背面１１６、左側面１１８、および底面１２０を有する本体１１０を含み、本体１１０は、オプション画像キャプチャシステム１２２を含み、このシステム１１２は、レンズ系１２３、イメージセンサ１２４、信号プロセッサ１２６、オプションディスプレイドライバ１２８、およびディスプレイ１２９を有する。動作中、イメージ（画像）センサ１２４上に画像を作成するために、レンズ系１２３によってシーンからの光に焦点が合わされる。レンズ系１２３は、１つ以上の要素を有することが可能である。レンズ系１２３は、固定焦点型であってよく、または手動焦点、もしくは自動焦点に調整可能であってよい。レンズ系１２３は、様々なズームまたはフォーカスを行うレンズ要素を自動的に移動させるために、例えば、モータ配列を有するレンズドライバ１２５を場合によって使用する。別の知られている配列がレンズ系１２３には使用可能である。
【００１７】
イメージセンサ１２４上にレンズ系１２３によって焦点が合わされるシーンからの光は、シーンの画像を表す画像信号に変換される。イメージセンサ１２４は、電荷結合デバイス（ＣＣＤ）、相補型金属酸化物半導体：ＭＯＳ（ＣＭＯＳ）センサ、または当業者には知られている任意の別の電子イメージセンサを含むことが可能である。画像信号は、デジタルでもアナログ形式でもよい。
【００１８】
信号プロセッサ１２６は、画像信号をイメージセンサ１２４から受け取り、各画像信号をデジタルデータの形式でデジタル画像に変換する。図示の実施形態では、信号プロセッサ１２６は、アナログ−デジタル変換機能を有する。あるいは、独立したアナログ−デジタル変換器（図示せず）が、イメージセンサ１２４と信号プロセッサ１２６との間に配置可能であり、画像信号をデジタル形式に変換する。この後者の実施形態では、信号プロセッサ１２６は、アナログデジタル変換器等からのデジタルデータをデジタル画像に変換するように構成されたデジタル信号プロセッサを含むことが可能である。デジタル画像は、１つ以上の静止画像、複数の静止画像および／または、ビデオセグメントなどの明らかな動画ストリームを含むことが可能である。デジタル画像データが、明らに動画ストリームを有する場合には、デジタル画像データは、インターリーブまたはインターレースされた画像形式で、連続する静止画像で、および／またはデジタルビデオの当業者に知られた別の形式で、保存された画像データを含むことが可能である。信号プロセッサ１２６は、デジタル画像を形成する場合には、様々な画像処理アルゴリズムを画像信号に適用することが可能である。これらは、カラーと露光とのバランス、相関、および圧縮を含むことが可能であるが、それらに限定されない。
【００１９】
コントローラ１３２は、画像化処理（imaging operation）中に、画像（イメージ）キャプチャシステム１２２、ディスプレイ１２９およびメモリ１４０を含むが、それらに限定されないディスプレイ装置１００の動作を制御する。コントローラ１３２により、イメージセンサ１２４、オプションレンズドライバ１２５、信号プロセッサ１２６、ディスプレイ１２９、およびメモリ１４０は、ユーザ入力システム１３４から受け取った信号、信号プロセッサ１２６からのデータ、およびオプションセンサ１３６から受け取ったデータ、ならびに／または通信モジュール１４９から受け取った信号に応答して、画像をキャプチャし、処理し、保存し、および／または表示する。コントローラ１３２は、プログラム可能な汎用マイクロプロセッサ、専用マイクロプロセッサもしくはマイクロコントローラなどのマイクロプロセッサ、ディスクリート素子の配列、またはディスプレイ装置１００の動作を制御するために使用可能である任意の別のシステムを含んでよい。
【００２０】
コントローラ１３２は、ユーザ入力システム１３４と協働して、ディスプレイ装置１００がユーザと情報交換（interact）することを可能にする。ユーザ入力システム１３４は、ユーザからの入力を受け取り、かつ、この入力を、ディスプレイ装置１００の動作時にコントローラ１３２で使用可能な形式に変換可能な任意の形式の変換器または他の装置を含むことが可能である。例えば、ユーザ入力システム１３４は、タッチスクリーン入力、タッチパッド入力、４ウェイスイッチ、６ウェイスイッチ、８ウェイスイッチ、スタイラスシステム、トラックボールシステム、ジョイスティックシステム、音声認識システム、ジェスチャー認識システム、または他のこの種のシステムなどの制御部を含んでよい。
【００２１】
図３および４に示す実施形態では、ユーザ入力システム１３４は、画像キャプチャの要望を示すトリガ信号をコントローラ１３２に送るキャプチャボタン１４２、および入／切スイッチ１４４を含む。ユーザがカメラ１０２を使用して写真を撮影したいと望む場合には、ユーザは、コントローラ１３２をアクティブにする信号を送る入／切スイッチ１４４を押す。次に、ユーザは、光学式ファインダシステム１３８を通して、またはディスプレイ１２９上に表示されるシーンの画像を見ることによって、撮影されるべきシーンをフレームに入れることが可能である。撮影されるシーンがユーザの好みにフレームに入った場合には、ユーザは、画像をキャプチャさせるためにキャプチャボタン１４２を押すことが可能である。
【００２２】
センサ１３６は選択的（追加的：optional）で、かつ光センサ、位置センサ、および他のセンサを含むことが可能である。これらのセンサは、ディスプレイ装置１００の周囲環境における条件を検出するために、およびこの情報をディスプレイ装置１００の動作を管理する際に、コントローラ１３２によって使用可能である形式に変換するために使用可能として当技術分野では知られている。センサ１３６は、例えば、被写体への距離など、シーンにおける条件を検出するために使用可能であるタイプの距離計を含むことが可能である。センサ１３６はまた、安全保護（セキュリティ）および情動的な画像作成(affective imaging)の目的のために、ユーザの特徴を検出するように構成されているバイオメトリックセンサを含むことも可能である。
【００２３】
トリガ条件が検出された場合には、コントローラ１３２により、画像信号と、対応するデジタル画像とが生成される。典型的には、トリガ条件は、ユーザがキャプチャボタン１４２を押し下げた場合に生じるが、コントローラ１３２は、特定のときに、またはキャプチャボタン１４２が押し下げられた後の特定のときに、トリガ条件が存在することを判断することが可能である。あるいは、コントローラ１３２は、オプションセンサ１３６が赤外線光のパルスなどの特定の環境条件を検出した場合に、トリガ条件が存在することを判断することが可能である。
【００２４】
また、コントローラ１３２を使用して、各画像と関連したメタデータを生成することも可能である。メタデータは、デジタル画像またはデジタル画像の部分に関連するが、画像データ自体の中で必ずしも識別可能ではないデータである。この点において、コントローラ１３２は、信号プロセッサ１２６、カメラユーザ入力システム１３４、および他のセンサ１３６からの信号を受け取ることが可能であり、場合によって、この様な信号に基づいてメタデータを生成する。メタデータは、画像がキャプチャされた時、日付および場所などの情報、イメージセンサ１２４のタイプ、モード設定情報、集積時間（integration time）情報、アーカイブ画像をキャプチャするために使用される処理を特徴付ける撮影レンズユニット設定情報、およびアーカイブ画像を作成するためにディスプレイ装置１００によって使用される処理、方法およびアルゴリズムを含むことが可能であるが、それらに限定されない。メタデータはまた、ディスプレイ装置１００を特定する情報、および／またはメタデータが関連するデジタル画像をレンダリングし、またはそうでない場合は、処理するための命令など、ディスプレイ装置１００において、コントローラ１３２によって判断され、または任意のメモリに保存される任意の別の情報を含むことが可能であるが、それらに限定されない。メタデータはまた、特定のメッセージをデジタル画像に、それが表示された場合に組み込むための命令を含むことも可能である。このようなメッセージは、デジタル画像が表示され、またはレンダリングされた場合には、レンダリングされるべきテキストメッセージであってよい。メタデータはまた、音声信号も含むことが可能である。メタデータは、デジタル画像データをさらに含むことも可能である。メタデータはまた、ディスプレイ装置１００内に入力される任意の別の情報を含むことも可能である。コントローラ１３２はまた、典型的には、ディスプレイ装置１００によってキャプチャされない画像を備えたメタデータを使用し、処理し、編集し、保存するように構成されることになる。
【００２５】
デジタル画像およびオプションメタデータは、圧縮形式で保存可能である。例えば、デジタル画像が一連の静止画像を含む場合には、静止画像は、ＪＰＥＧ（Ｊｏｉｎｔ  Ｐｈｏｔｏｇｒａｐｈｉｃ  Ｅｘｐｅｒｔｓ  Ｇｒｏｕｐ）ＩＳＯ  １０９１８−１（ＩＴＵ−Ｔ．８１）標準規格を使用するなどによる圧縮形式で、保存可能である。このＪＰＥＧにより圧縮される画像データは、電子情報技術産業協会ＪＥＩＴＡ  ＣＰ−３４５１によって発行されたＥｘｃｈａｎｇｅａｂｌｅ  Ｉｍ,ｇｅ  Ｆｉｌｅ  Ｆｏｒｍａｔのバージョン２．２において定められた、いわゆる「Exif(エグジフ)」画像フォーマットを使用して保存される。同様に、ＭＰＥＧ−４（Ｍｏｔｉｏｎ  Ｐｉｃｔｕｒｅｓ  Ｅｘｐｏｒｔ  Ｇｒｏｕｐ）またはＡｐｐｌｅ  Ｑｕｉｃｋｔｉｍｅ（登録商標）標準規格などの他の圧縮システムを使用して、ビデオ形式であるデジタル画像を保存可能である。他の画像圧縮および保存形式も使用可能である。
【００２６】
デジタル画像およびメタデータは、メモリ１４０などのメモリに保存可能である。メモリ１４０は、半導体の、磁気の、光学の、または他のデータストレージ装置を含む従来のメモリ装置を含むことが可能である。メモリ１４０は、ディスプレイ装置１００内に固定可能、または取り外し可能である。デジタル画像およびメタデータはまた、パーソナルコンピュータ、コンピュータネットワークまたは別の撮像システムなど、ディスプレイ装置１００の外部にある遠隔メモリシステム１４７に保存可能でもある。
【００２７】
図３および４に示す実施形態では、ディスプレイ装置１００は、遠隔メモリシステムと通信するための通信モジュール１４９を有する。通信モジュール１４９は、画像および別のデータを、光信号、高周波信号または別の形態の信号により、遠隔撮像システムに変換可能である形態に変換する、例えば、光変換器、高周波変換器、または別の変換器であってよい。通信モジュール１４９を使用して、デジタル画像および別の情報をホストコンピュータまたはネットワーク（図示せず）から受け取ることもまた可能である。コントローラ１３２はまた、遠隔トリガボタン（図示せず）などの遠隔制御装置（図示せず）からの信号を含むが、それに限定されない通信モジュール１４９によって受け取られる信号から、情報および命令を受け取ることも可能であり、このような信号よって、ディスプレイ装置１００を動作させることが可能である。通信モジュール１４９は、図３に示すように、ディスプレイ装置１００の不可欠な構成要素であってよく、または通信を可能にするためにディスプレイ装置の中に挿入可能であるカードなどに取り付けられる構成要素であってよい。このようなカードの一例が、米国電気電子学会８０２．１１（ｂ）標準規格を使用して通信を可能にし、米国ニューヨーク州ローチェスタ市のＥａｓｔｍａｎ  Ｋｏｄａｋ社によって販売されているＫｏｄａｋ  ＷＩ−ＦＩである。
【００２８】
信号プロセッサ１２６は、場合によってまた、画像信号またはデジタル信号を使用して、キャプチャされた画像データに対応して表された評価画像( evaluation image)、およびディスプレイ１２９上に表示するために構成されている評価画像を作成する。これにより、ディスプレイ装置１００のユーザは、ディスプレイ装置１００において利用可能であるデジタル画像を観察することが可能になる。例えば、画像（images）は、画像キャプチャシステム１２２によってキャプチャされたものであり、そうでない場合は、メモリ１４０などのメモリに保存され、または通信モジュール１４９により受け取られる画像である。ディスプレイ１２９は、例えば、カラー液晶ディスプレイ（ＬＣＤ）、有機エレクトロルミネッセンスディスプレイ（ＯＥＬＤ）としても知られている有機発光ディスプレイ（ＯＬＥＤ）、または別のタイプのビデオディスプレイを含むことが可能である。
【００２９】
信号プロセッサ１２６とコントローラ１３２とはまた協働して、コントローラ１３２およびディスプレイ装置１００のユーザ間の対話式通信を可能にすることができるディスプレイ１２９上に表示するためのテキスト、グラフィックス、アイコンなどの別の画像および別の情報を作成し、ディスプレイ１２９は、情報をディスプレイ装置１００のユーザに提供し、ディスプレイ装置１００のユーザは、ユーザ入力システム１３４を使用して、対話形式で情報をディスプレイ装置１００に提供する。ディスプレイ装置１００はまた、信号プロセッサ１２６および／またはコントローラ１３２がユーザに対して情報を提供することを可能とするセグメントＬＣＤまたはＬＥＤのディスプレイ（図示せず）など、他のディスプレイも有することが可能である。この性能は、動作モードを設定すること、制御設定を入力すること、ユーザ参照、ならびにディスプレイ装置１００のユーザに警告および命令を提供することなど、様々な目的のために使用される。音声信号、振動、触覚フィードバック、および他の形式の信号を生成するための知られているシステムおよびアクチュエータなど別のシステムがまた、情報、フィードバック、および警告をディスプレイ装置１００のユーザに提供する際に使用するために、ディスプレイ装置１００に組み込まれることが可能である。
【００３０】
典型的には、ディスプレイ１２９は、イメージセンサ１２４よりも低い画像(imaging)解像度を有する。したがって、信号プロセッサ１２６は、ディスプレイ１２９上に表示するために構成された評価画像を作成する場合には、画像信号またはデジタル画像の解像度を低くする。全体的に撮像解像度を抑えるためのダウンサンプリング、および他の技術が使用可能である。例えば、１９９０年３月１５日にクチタらにより出願された同一出願人による米国特許第５，１６４，８３１号「Ｅｌｅｃｔｒｏｎｉｃ  Ｓｔｉｌｌ  Ｃａｍｅｒａ  Ｐｒｏｖｉｄｉｎｇ  Ｍｕｌｔｉ−Ｆｏｒｍａｔ  Ｓｔｏｒａｇｅ  Ｏｆ  Ｆｕｌｌ  Ａｎｄ  Ｒｅｄｕｃｅｄ  Ｒｅｓｏｌｕｔｉｏｎ  Ｉｍａｇｅｓ」に記載されているなどのリサンプリング技術が使用可能である。評価画像は、場合により、メモリ１４０などのメモリに保存可能である。評価画像は、ディスプレイ１２９をドライブするために使用可能であるオプションディスプレイドライバ１２８に提供されるように構成可能である。あるいは、評価画像は、ディスプレイ１２９に評価画像を直接表示させる形式で、信号プロセッサ１２６によって伝達可能である信号に変換可能である。これがなされる場合には、ディスプレイドライバ１２８は、省略可能である。
【００３１】
ディスプレイ装置１００は、上述の画像キャプチャシステムのイメージセンサ１２４および他の構成要素を使用してデジタル画像をキャプチャする。デジタル画像をキャプチャするために使用可能であるイメージング動作は、キャプチャ処理を含み、場合によってまた、合成処理および検証処理を含むことが可能である。
【００３２】
オプションの合成処理中に、コントローラ１３２により、信号プロセッサ１２６はイメージセンサ１２４と協働して、デジタル画像をキャプチャし、ディスプレイ１２９上に対応する評価画像を表示する。図１および２に示す実施形態では、コントローラ１３２は、キャプチャボタン１４２が中途まで押し下げられた位置に移動した場合には、画像合成段階に入る。しかし、合成段階に入るべきときを判断するための他の方法が使用可能である。合成中に表示される画像は、ユーザが、デジタル画像をキャプチャするためにシーンを合成するのに役立てることができる。
【００３３】
キャプチャ処理は、トリガ条件が存在することを判断するコントローラ１３２に応答して実行される。図１および２の実施形態では、トリガ信号は、キャプチャボタン１４２が完全に押し下げられた状態に移動した場合に生成され、コントローラ１３２は、コントローラ１３２がトリガ信号を検出した場合に、トリガ条件が存在することを判断する。キャプチャ処理中に、コントローラ１３２はキャプチャ信号を送り、それにより、信号プロセッサ１２６はイメージセンサ１２４から画像信号を得ることになり、デジタル画像を含むデジタル画像データを形成するために画像信号を処理することになる。デジタル画像に対応する評価画像は、画像信号に基づいて信号プロセッサ１２６によりディスプレイ１２９上に表示されるために、場合によって、形成される。１つの他の実施形態では、信号プロセッサ１２６は、各画像信号をデジタル画像に変換し、次にデジタル画像から評価画像を得る。
【００３４】
検証処理中に、対応する評価画像は、ディスプレイ１２９に提供され、ある時間、表示される。これにより、ユーザは、デジタル画像が好ましい外観を有することを検証することが可能になる。
【００３５】
デジタル画像はまた、画像キャプチャ以外の方法でディスプレイ装置１００によって受取り可能である。例えば、デジタル画像は、このような画像が取外し可能なメモリ上に記録された場合には、ディスプレイ装置１００に伝えられることが可能である。あるいは、デジタル画像は、通信モジュール１４９によって受取り可能である。例えば、通信モジュール１４９が携帯電話ネットワークにより通信するように構成されている場合には、通信モジュール１４９は、例えばデジタルカメラを装備した電話のユーザなどの携帯電話ネットワークの他のユーザが、ディスプレイ装置１００と通信リンクを確立するために、および通信モジュール１４９によって受取り可能である画像を伝送するために使用することが可能である携帯電話番号、または他の識別番号と関連付け可能である。したがって、ディスプレイ装置１００が画像を受け取ることが可能である方法は様々であり、したがって、ディスプレイ装置１００は、上述のものなど他の手段が、画像をディスプレイ装置１００に取り込むために利用可能である限り、画像キャプチャシステムを有することは必要ではない。
【００３６】
図３および４の実施形態では、ユーザ入力システム１３４はまた、本体１１０の背面１１６における開口部１３１に近接して配置されている接触要素(contact element)１３０を含む。接触要素１３０は、ディスプレイ１２９からの光を見えるようにすることを可能にすることができ、ユーザによって加えられた力を受け取ることができ、このような力の少なくとも一部分を他の構造に伝えることが可能である任意の構造を含む。図３〜１６に関して論じる実施形態では、接触要素１３０は、ディスプレイ１２９の少なくとも一部分を含み、図１７〜２０の実施形態では、接触要素１３０は、ディスプレイ１２９によって表示される画像を、それを通して見ることが可能である個別構造を含む。接触要素１３０は、鋼体(rigid)、半鋼体、または可撓性であってよい。
【００３７】
図５は、図４に示すカメラ１０２の背面図であり、ユーザが写真を撮影しようとして見ている、または確認中し、またはすでに撮影済みのシーンの画像１４５を示している。
【００３８】
図６に、図３〜５のディスプレイ装置の同じ図を示すが、ディスプレイ１２９の下に配置されている感力性要素(force sensitive elements)１５０、１５２、１５４および１５６を透過的に示しており、図７は、図６の実施形態の断面図を示している。図６および７に示すように、接触要素１３０は、弾性連結部１４６上にあるディスプレイ１２９を含む。弾性連結部１４６により、ディスプレイ１２９はディスプレイ受けエリア１４８内の位置領域内で移動することが可能になる。
【００３９】
また、図６には、ディスプレイ１２９をディスプレイ受けエリア１４８に連結する感力性要素１５０、１５２、１５４および１５６の配列も示す。感力性要素１５０、１５２、１５４および１５６は、ユーザによって必ずしも見えるわけではなく、図６には、透過させて示している。感力性要素１５０、１５２、１５４および１５６は、力が加えられたことを感知するようにそれぞれ構成されている。この実施形態では、それぞれの感力性要素１５０、１５２、１５４、１５６は、図６および７に軸Ａ１、Ａ２、Ａ３およびＡ４として示した軸に沿って、力がいつ加えられたかを感知する。
【００４０】
感力性要素１５０、１５２、１５４および１５６は、プッシュボタン式スイッチであってよく、または力がそれに加わったことを感知することが可能であり、信号を生成することが可能であり、もしくは検出可能な信号を生成させることが可能である任意の構造またはアセンブリ（組立部）を含んでよい。種々の例示的実施形態の感力性要素を以下に論じるが、本発明で使用可能な感力性要素は、これらの例示的実施形態に限定されない。
【００４１】
ユーザが写真撮影以外のカメラ機能にアクセスしたいと望む場合は、ユーザは、感力性要素１５０、１５２、１５４、１５６のうち１つ以上の上でディスプレイ１２９を押すことが可能である。例えば、メインメニューにアクセスするために、ユーザは、軸Ａ１、Ａ２、Ａ３およびＡ４それぞれに沿って下方向の力を加え、ディスプレイ１２９を中央で押すことが可能であり、それにより４つのすべての感力性要素１５０〜１５６は同時に押し下げられる。コントローラ１３２は、４つのすべての感力性要素１５０〜１５６を一度に押し下げることが、メインメニューを表示すべき信号であることを認識することになる。
【００４２】
図８に、ズーム調整機能エリア１６０、シーンモード機能エリア１６２、キャプチャモード機能エリア１６４、および確認（レビュー）モード機能エリア１６６を含む機能エリアを有する、表示されたメインメニュー１５８の例を示す。画像キャプチャシステムのズーム倍率を変更するためには、ユーザは、信号をコントローラ１３２に送る感力性要素１５０を押し下げる軸Ａ１に沿って、ディスプレイ１２９をズーム調整機能エリア１６０の方に押すことが可能であり、それにより、コントローラ１３２は図９に示すように、他の画面表示を変更する。あるいは、図１０に示すように、メインメニュー１５８は垂直に配置され、それにより、ユーザは、強調表示カーソル１６８をそれぞれ上方へ、または下方へ動かすために、それらのエリアと関連した上側の２つの感力性要素１５０および１５２、または下側の２つの感力性要素１５４および１５６を押し下げるように、ディスプレイ１２９の上縁部または下縁部を押すことが可能になる。あるいは、強調表示カーソル１６８は、ディスプレイ１２９の上部右隅または下部右隅をそれぞれ押し、それによって、それらのエリアの感力性要素１５２および１５６を押し下げることによって上方へ、または下方へ移動可能であろう。ズーム機能が強調表示されると、ユーザは、４つのすべての感力性要素１５０、１５２、１５４、１５６が同時に押し下げられるように、ディスプレイ１２９を押し下げることによって、その機能を選択することが可能である。
【００４３】
ズーム機能が選択された後、図９に示すズーム制御メニュー１６９は、備えているズーム拡大機能エリア１７０およびズーム縮小機能エリア１７２が表示される。ズーム調整は、ここでは、ディスプレイ１２９の上側または下側部分を押すことによって、したがって、感力性要素１５０、１５２、１５４または１５６のうち１つ以上を押し下げることによって行われることができる。ズームアウトするためには、ユーザは、ディスプレイ１２９の下側部分を押すことができ、したがって、感力性要素１５４および１５６のうち１つ以上を押し下げる。ズームインするためには、ユーザは、ディスプレイ１２９の上側部分を押すことができ、したがって、感力性要素１５０および１５２の一方または両方を押し下げる。
【００４４】
すでに撮影された写真を確認するために、カメラ１０２のユーザは、メインメニュー１５８に戻り、ディスプレイ１２９の他の部分を押すことによって使用する確認機能を選択することが可能である。ユーザは、次に、ディスプレイ１２９の右側面および左側面を押すことによって、またはそうでない場合は、ディスプレイ１２９の特定の部分を押すことによって、写真をナビゲートすることが可能である。
【００４５】
所望の機能が選択された後には、ユーザは、ディスプレイ１２９の事前プログラムされた１つ以上の押下げを実行することによって、メインメニュー１５８に戻ることが可能である。メインメニュー１５８が表示されると、ユーザは、ディスプレイ１２９を感力性要素１５４の方に選択的に押すことが可能であり、それにより、感力性要素１５４は信号をコントローラ１３２に送り、それにより、コントローラ１３２は画像キャプチャモードに入る。
【００４６】
ｅの場合など、少なくとも最小限の時間、継続的に続く感力性要素１５０、１５２、１５４および１５６が押し下げられたという誤った読み込みを防ぐために、コントローラ１３２は、２ミリ秒と３００ミリ秒との間の押下げの例を感知したものだけを、制御信号として認識するように構成可能である。あるいは、コントローラ１３２は、それぞれの感力性要素に加えられるべき所定の量の力を要求しても良い。さらには、時間遅延は、ただ１つのスイッチが押し下げられたのかどうかを、または複数のスイッチが押し下げられたことを知るために、制御プログラムの中に組み込んでも良い。この時間遅延は、例えば、ただ数ミリ秒または数百ミリ秒とでき、設計者が決定する。
【００４７】
図示の実施形態に、弾性連結部１４６をスポンジ状ゴム材料などの弾性的変形可能な材料の層として示す。弾性連結部１４６は、ディスプレイ１２９などの接触要素１３０が、力が加えられた後に、水平または他のデフォルトの配向に戻ることに役立つ。弾性連結部１４６は、感力性要素および支点が、使用される場合に、配置された場所を除いてディスプレイ１２９の下部の全エリアを覆うスポンジ状ゴム材料を含むことが可能である。スポンジ状ゴム材料は、ディスプレイ受けエリア１４８に、およびディスプレイ１２９にもまた接着可能である。
【００４８】
あるいは、弾性連結部１４６は、エラストマなど、スポンジ状ゴム以外の弾性材料のいくつかのタイプで作られていてよい。ディスプレイ１２９などの接触要素１３０をディスプレイ装置１００に取り付けるための他の構造は、弾性連結部１４６が、ディスプレイ１２９に加えられた圧力に対して弾性の応答を提供し続ける限り、使用可能である。例えば、一実施形態では、弾性連結部１４６は、ディスプレイ１２９が位置領域内で移動することを可能にする枢動部（図示せず）などの移動可能支持体と、加えられた力がディスプレイ１２９を領域内の他の位置に移動させた後、ディスプレイ１２９を領域内の位置から中立位置に弾性的に偏向するように構成されている感力性要素１５０、１５２、１５４および１５６との組合せによって形成可能である。
【００４９】
ここで、図６および７に戻ると、オプション支点１５７がディスプレイ１２９の下に中心に配置されて示されている。支点１５７は、ユーザが所望のカメラ機能を決定するために、ディスプレイ１２９を調整するにつれて、ユーザに対してより明確な触覚経験を提供することによって助力する。支点１５７は、弾性材料の層、ボール／ソケットの接続部、または任意の広範囲の可能な機械的接続部を含む様々な他の形態をとることが可能である。様々な実施形態では、力がいつディスプレイ１２９に加えられたかを確実にするために、支点１５７の選択に際には注意が必要とされ、その力は、加えられた力がディスプレイ１２９または感力性要素１５０〜１５６にダメージを与えないように管理されることになる。
【００５０】
図１１および１２には、本発明の他の実施形態を示し、ディスプレイ１２９およびディスプレイ受けエリア１４８の間のディスプレイ１２９の周辺部上に配置され、カメラ本体１１０のいずれの重なり合う部分１９６、エラストマゴムのガスケット、隠し構造、処理、または他の被覆によってユーザの視界から隠されている感力性要素１８０、１８２、１８４、１８６、１８８、１９０、１９２、１９４によって、力は感知される。機能を選択するために、ディスプレイ１２９には、平面Ｂに沿って上向き方向１８１、下向き方向１８３、右方向１８５、左方向１８７、または斜め方向、例えば１９１、１９３、１９５、１９７において働き掛けられる。これが生じたとき、力は、感力性要素１８０、１８２、１８４、１８６、１８８、１９０、１９２、１９４の様々なものに加えられ、それにより、これらの感力性要素は、コントローラ１３２によって感知可能である信号を生成する。コントローラ１３２はこれらの信号を使用して、力が加えられたこと、および軸Ｃ１、Ｃ２、Ｃ３またはＣ４などの上に力が加えられたかを判断することが可能である。本実施形態における図１１および１２に図示のように、ディスプレイ１２９は、ユーザが、上向き方向１８１などの方向に沿ってディスプレイに働き掛け、不必要な指紋がディスプレイ１２９上に残されないように、ディスプレイ１２９との指接触の範囲を縮小することを助けるために、隆起した指係合エリア１８９を有する。
【００５１】
この実施形態の１つの適用では、ディスプレイ１２９を使用して、画像回転モードを入力することが可能であり、キャプチャ画像を回転したいという要望を直観的に示すために回転可能である。図１３および１４に示すように、評価画像が、キャプチャ画像を示す。図１３および１４から分かるように、画像は、カメラ１０２に対する角度でキャプチャされている。この状態を修正するために、ユーザの親指または指２０１，２０３が、図示するように、指係合エリア１８９および１９９上に置かれること、およびまた図示するように、ディスプレイ１２９上に力をかけるために使用されることが可能である。ディスプレイ１２９上の圧力は、ディスプレイ１２９に、図１３に透視線（点線）によって示すような回転ディスプレイ２０５によりわずかに回転するように働き掛ける。ディスプレイ１２９の周辺部付近の感力性要素１８２、１８４、１８６、１８８、１９０、１９２、１９４は、この働き掛けを感知し、それに対応して、コントローラ１３２および／または信号プロセッサ１２６に表示画像を回転させる信号をコントローラ１３２に送る。このような回転の範囲は、画像解析、またはディスプレイ１２９に加えられた力（複数可）によって示される方向で、画像回転の所定の範囲に基づいて自動的に決定可能である。あるいは、回転の範囲および回転の方向は、ディスプレイ１２９に加えられた力の量、またはその継続時間によって決定可能である。したがって、回転画像は、図１４に示すように作成可能である。さらに他の実施形態では、感力性要素は、前述の実施形態において示したように、ディスプレイ１２９の下にあってよく、作動させるために押し下げられることが必要であるが、特定の感力性要素は、力の働き掛けによる回転を感知するために配置可能であり、ユーザには、希望する回転方向がどちらなのかについて、どこを押すべきかを指示されるであろう。
【００５２】
感力性要素１５０、１５２、１５４、１５６および１８２、１８４、１８６、１８８、１９０、１９２、１９４は、様々な形態をとることが可能である。特定の実施形態では、感力性要素１５０、１５２、１５４、１５６および１８２、１８４、１８６、１８８、１９０、１９２、１９４は、弾性的に伸張（膨張）、圧縮可能である任意の材料を含むことが可能であり、またはそうでない場合は、それに加えられた圧力に応じた形状の変化や、形状が変化したときにコントローラ１３２が検出可能である特性の変化であってもよい。例えば、静電容量、抵抗、表面伝導率の変化や、または電圧または電流信号の発生が挙げられる。
【００５３】
あるいは、感力性要素は、形状変化を最小限に抑えて力を感知するように構成可能であり、それにより、ディスプレイ１２９の概してごくわずかな移動を生じさせるが、力を感力性要素に伝送する力がディスプレイ１２９に加えられることが可能であり、それにより、感力性要素は、コントローラ１３２によって検出可能であり、力が加えられたことを判断するために使用可能である信号を生成する。ここでもまた、力に応答してわずかな量だけ偏向し、しかし、コントローラ１３２によって検出可能である信号を生成する材料または構造体が使用可能である。例えば、このタイプの感力性要素は、加えられた力によって圧縮可能である誘電体により、分離された平行導体に力を加えることによって、生成可能であるほど近接して小さな変動に応答して、全域に、より大きな容量差動を生成する圧電性結晶、または伝導板の配列を含むことが可能である。
【００５４】
本発明の特定の実施形態では、受けエリア１４８内で移動することが可能である、ディスプレイ１２９などの接触要素１３０を提供することは有用であることがあり、このような移動の範囲は、ディスプレイ１２９と力感知要素との間の接触を必ずしも維持することなく、感知可能であることが理解されよう。感力性要素のこのような配列は、力がそれに加えられた場合に、ディスプレイ１２９を中立位置に偏向し、ディスプレイ１２９の移動に抵抗する弾性連結部１４６上にディスプレイ１２９を取り付けることによって、およびディスプレイ１２９が、移動の少なくとも２つのうち１つの検出可能軸に沿って、いつ中立位置から作動位置に移動したかを検出するようにそれぞれ構成されている１つ以上の位置センサを設けることによって、提供可能である。このような組合せにより、ディスプレイ１２９に力が加えられたことを検出することは可能になり、ディスプレイ１２９は弾性連結部１４６によって加えられた偏向力を克服することなく、その中で移動することは不可能である。光、電気のスイッチまたは電気機械のスイッチを含む、この目的のために使用可能である様々なセンサがある。この手法の主要な利点は、力が加えられたことを感知するように構成されたセンサの中にあり、それら自体から成るセンサを設ける必要がないことである。そうではなくて、この実施形態では、ディスプレイ１２９に力が加えられたことを感知することが可能である１つ以上の感力性要素を可能にするためには、加えられた力に抵抗する弾性連結部１４６とこのようなセンサとの組合せである。
【００５５】
図１５および１６にこのタイプの一実施形態を示す。図１５および１６では、感力性要素は、いわゆる「ホール効果」センサを含むディスプレイ１２９の縁部または他の部分の付近の変化を検出する位置センサ２００、２０２および２０４の配列の形態で提供される。ホール効果は、変化する磁場の中にある電気回路の中の電圧と電流との間の関係において生じる変化を説明する電磁的な現象に与えられた名称である。ホール効果によれば、電圧は、磁場が電気導体に垂直に加えられた場合、その導体（ホール電圧）の中の電流の流れ方向に対して横に生成される。導体に垂直に加えられた磁場の強度が変化した場合には、導体の中の電流の流れ方向に対して横に生成される電圧は変化する。電圧のこの変化は検出可能であり、様々な位置感知目的のために使用可能である。
【００５６】
図１５および１６に示された実施形態では、それぞれの位置センサ２００、２０２および２０４が３つの要素、鉄鋼材エリア、それぞれ２０６、２０８、２１０と、ホール効果センサ、それぞれ２１２、２１４、２１６と、磁石、それぞれ２１８、２２０、２２２とを含む。
【００５７】
ディスプレイ１２９が、図１５に示すように初期位置から、図１６に示すように力が加えられた位置に、弾性部材（図示せず）によって与えられた偏向に反して移動したときには、鉄鋼材エリア２０８および２１０は、センサ２１４および２１６と、磁石２２０および２２２とからそれぞれ離れて移動する。これにより、鉄鋼材エリア２０８および２１０と、磁石２２０および２２２との間の磁場の強度がそれぞれ変化する。磁場の強度のこの低下は、ディスプレイ装置１００のコントローラ１３２に信号を供給するホール効果センサ２１４および２１６によって感知され、それにより、コントローラ１３２は、力２３０がディスプレイ１２９に加えられたことを判断することが可能であり、その力が、磁石２２０から鉄鋼材エリア２０８を分離することを働き掛け、磁石２２２から鉄鋼材２１０を分離することを働き掛ける軸に沿って加えられたことを判断することが可能である。
【００５８】
上述の実施形態では、接触要素１３０を、ディスプレイ装置１００のユーザがユーザ入力を行うために物理的に接触することが可能であるディスプレイ１２９の形態で示している。これは、ディスプレイ装置１００に対して広範な様々な仮想ユーザ入力制御を行い、動的フィードバックをユーザ入力動作中にユーザに提供する性能、またはディスプレイ装置１００のコストを最小限に抑える性能を可能にするので有利である。しかし、このような加えられた力がディスプレイ１２９にダメージを与える可能性があり、このような加えられた力がディスプレイ１２９に好ましくない方法で動作させることになる恐れがある場合など、ディスプレイ１２９に力を加えることが望ましくない場合の適用があり得る。したがって、図１７〜２０には、本発明の代替の実施形態を示し、仮想ユーザ入力制御および動的フィードバックがディスプレイ１２９に直接力を加える必要なく、提供可能である。
【００５９】
図１７および１８の実施形態では、概して透明な接触要素１３０が、開口部１３１とディスプレイ１２９との間のディスプレイ受けエリア１４８内に設けられ、それにより、ディスプレイ１２９によって表示される画像の少なくとも一部分は、接触要素１３０を通して見える。この実施形態では、感力性要素１５０〜１５４は、接触要素１３０とディスプレイ受けエリア１４８との間に配置されている。感力性要素１５０〜１５４は、力が接触要素１３０に加えられた場合には、信号を生成するように構成されている。図１７および１８に示すように、セパレーションＳが、接触要素１３０とディスプレイ１２９との間に設けられ、それにより、接触要素１３０をディスプレイ１２９と接触させることなく、接触要素１３０が移動し、または撓むことが可能になる。この実施形態では、接触要素１３０は、弾性材料から形成されており、またはそうでない場合は、接触要素１３０への加力を弾性的に抵抗するように、したがってまた弾性連結部１４６のように機能するように形作られる。場合によって、他の構造体がこの目的のために使用可能である。
【００６０】
図１９および２０に、このタイプのさらに他の実施形態を示し、それは、図１１および１２に関して上述した実施形態に対して、構成および動作において類似している。ここでは、力は、接触要素１３０とディスプレイ受けエリア１４８との間で、接触要素１３０の周辺部上に配置された感力性要素１８０、１８２、１８４、１８６、１８８、１９０、１９２、１９４によって感知される。この実施形態では、感力性要素１８０、１８２、１８４、１８６、１８８、１９０、１９２、１９４は、場合によって、本体１１０のいずれの重なり合う部分１９６、エラストマゴムのガスケット、隠し構造、処理、または他の被覆によってユーザの視界から隠される。機能を選択するために、接触要素１３０は、平面Ｂに沿って、上向き方向１８１、下向き方向１８３、右方向１８５、左方向１８７、または斜め方向、例えば１９１、１９３、１９５、１９７において働き掛けられる。これが生じたとき、力は、感力性要素１８０、１８２、１８４、１８６、１８８、１９０、１９２、１９４の様々なものに加えられ、それにより、感力性要素は、コントローラ１３２によって感知可能である信号を生成する。コントローラ１３２は、これらの信号を使用して、力が加えられたこと、および軸Ｃ１、Ｃ２、Ｃ３またはＣ４のどの上に力が加えられたかを判断することが可能である。本実施形態における図１９および２０に示すように、接触要素１３０は、ユーザが、上向き方向１８１などの方向に沿ってディスプレイに働き掛け、不必要な指紋が接触要素１３０上に残されないように、ディスプレイ１２９との指接触の範囲を縮小することを助けるために、隆起した指係合エリア１８９を有する。
【００６１】
さらには、感圧要素について上述の実施形態のいずれも、ディスプレイに加えられた力の量を示す信号を生成するように構成可能であり、このような実施形態では、コントローラ１３２は、様々な目的のためにこのような信号を使用するように構成可能である。例えば、一態様では、コントローラ１３２は、ある比率で、またはディスプレイに加えられた力の量によって決定される範囲に対して、特定の機能を実行することが可能である。例えば、カメラ１０２などのディスプレイ装置１００のユーザが１組の画像を確認したいと望んだ場合、ユーザは、メインメニュー１５８からの例について画像確認機能を選択することが可能であり、それにより、コントローラ１３２は、ディスプレイ１２９上に１つ以上の画像を表示することが可能になる。ユーザが、軸に沿ってディスプレイ１２９に力を加えることによって表示された画像内をスクロールすることが可能である。ユーザがこれを行う間、コントローラ１３２は、任意の所与の時間、加えられた力の量を監視することが可能であり、加えられた力の量に比例して、画像がディスプレイ１２９内をスクロールされる比率を調整することが可能である。この比率は、いくつかの他の非直線的関係のために加えられた力の量に直線的に関連可能であり、いくつかの他の非直線的関係によって加えられた力の量に関連可能である。
【図面の簡単な説明】
【００６２】
【図１】カメラ背面上のディスプレイを利用する従来技術のデジタルカメラの後面斜視図である。
【図２】取り付けられたディスプレイの表面上のタッチセンサのスクリーンを利用する従来技術のデジタルカメラの後面斜視図である。
【図３】本発明のディスプレイ装置の一実施形態を示すブロック図である。
【図４】図３のディスプレイ装置の１つの可能な実施形態の外観を示す上面、背面、右側面の斜視図である。
【図５】ディスプレイによりユーザが見るシーンを示す図３および４の実施形態の後面図である。
【図６】図５に示す図と同じ図であるが、感力性要素の配置の透視図である。
【図７】図６の断面図である。
【図８】動作モードを選択するために使用される図３〜７のディスプレイ装置の背面図である。
【図９】ズーム選択設定の際に使用される図３〜７のディスプレイ装置の背面図である。
【図１０】動作モード選択中の図３〜７のディスプレイ装置の背面図である。
【図１１】ディスプレイ装置の他の実施形態を示す図である。
【図１２】ディスプレイ装置の他の実施形態を示す図である。
【図１３】ディスプレイ装置の他の実施形態を示す図である。
【図１４】ディスプレイ装置の他の実施形態を示す図である。
【図１５】ディスプレイ装置の他の実施形態を示す図である。
【図１６】ディスプレイ装置の他の実施形態を示す図である。
【図１７】ディスプレイ装置の他の実施形態を示す図である。
【図１８】ディスプレイ装置の他の実施形態を示す図である。
【図１９】ディスプレイ装置の他の実施形態を示す図である。
【図２０】ディスプレイ装置の他の実施形態を示す図である。
【符号の説明】
【００６３】
１０  従来技術のディスプレイ装置、１２  デジタルカメラ、１３  上向き矢印、１４  ディスプレイ、１５  下向き矢印、１６  筺体、１７  右矢印、１９  左矢印、２０  外部制御部、２２  入／切ボタン、２４  メニューボタン、２６  選択ボタン、２８  共有ボタン、３０  ナビゲーションボタン、３２  ファインダ、３４  シャッタートリガボタン、３６  タッチスクリーンディスプレイ、３８  メニュー、４０  機能エリア、４２  機能エリア、４４  機能エリア、４６  機能エリア、１００  ディスプレイ装置、１０２  カメラ、１１０  本体、１１２  上面、１１４  右側面、１１６  背面、１１８  左側面、１２０  底面、１２２  画像キャプチャシステム、１２３  レンズ系、１２４  イメージ（画像）センサ、１２５レンズドライバ、１２６  信号プロセッサ、１２８  ディスプレイドライバ、１２９  ディスプレイ、１３０  接触要素、１３１  開口部、１３２  コントローラ、１３４  ユーザ入力システム、１３６  センサ、１３８  ファインダ系、１４０  メモリ、１４２  キャプチャボタン、１４４  入／切スイッチ、１４５  画像、１４６  弾性連結部、１４７  遠隔メモリ、１４８  ディスプレイ受けエリア、１４９  通信モジュール、１５０  感力性要素、１５２  感力性要素、１５４  感力性要素、１５６  感力性要素、１５７  支点、１５８  メインメニュー、１６０  ズーム調整機能エリア、１６２  シーンモード機能エリア、１６４  キャプチャモード機能エリア、１６６  確認モード機能エリア、１６８  強調表示カーソル、１６９  ズーム制御メニュー、１７０  ズーム拡大機能エリア、１７２  ズーム縮小機能エリア、１８０  感力性要素、１８１  上向き方向、１８２  感力性要素、１８３  下向き方向、１８４  感力性要素、１８５  右方向、１８６  感力性要素、１８７  左方向、１８８  感力性要素、１８９  指係合エリア、１９０  感力性要素、１９１  斜め方向、１９２  感力性要素、１９３  斜め方向、１９４  感力性要素、１９５  斜め方向、１９６  重なり合う部分、１９７  斜め方向、１９９  指係合エリア、２００  位置センサ、２０１  親指または指、２０２  位置センサ、２０３  親指または指、２０４  位置センサ、２０５  回転ディスプレイ、２０６  鉄鋼材エリア、２０８  鉄鋼材エリア、２１０  鉄鋼材エリア、２１２  ホール効果センサ、２１４  ホール効果センサ、２１６  ホール効果センサ、２１８  磁石、２２０  磁石、２２２  磁石、２３０  力、Ａ１  軸、Ａ２  軸、Ａ３  軸、Ａ４  軸、Ｂ  平面、Ｃ１  軸、Ｃ２  軸、Ｃ３  軸、Ｃ４  軸、Ｓ  セパレーション。
【図１】
2009505294.tif 000003
【図２】
2009505294.tif 000004
【図３】
2009505294.tif 000005
【図４】
2009505294.tif 000006
【図５】
2009505294.tif 000007
【図６】
2009505294.tif 000008
【図７】
2009505294.tif 000009
【図８】
2009505294.tif 000010
【図９】
2009505294.tif 000011
【図１０】
2009505294.tif 000012
【図１１】
2009505294.tif 000013
【図１２】
2009505294.tif 000014
【図１３】
2009505294.tif 000015
【図１４】
2009505294.tif 000016
【図１５】
2009505294.tif 000017
【図１６】
2009505294.tif 000018
【図１７】
2009505294.tif 000019
【図１８】
2009505294.tif 000020
【図１９】
2009505294.tif 000021
【図２０】
2009505294.tif 000022
【国際調査報告】
2009505294.tif 000023
2009505294.tif 000024